(57)【要約】【課題】設定以上に室内温度が上昇しない快適な天井埋込形空気調和機を提供する。【解決手段】吸込み口の周囲に風向変更板（図示せず）を備えた吹出し口（図示せず）を有するパネル（図示せず）と、吸い込み温度を検出する室内吸い込み温度検出手段１６と、目標温度を設定するリモコン１７と、運転開始からの経過時間を計時する圧縮機起動タイマー１８とを有し、暖房運転起動時に、吸い込み温度とリモコン１７で設定した温度との差が所定の温度差以上の場合に、圧縮機起動タイマー１８を起動すると共に吹出し口からの空気を吸込み口に導くショートサーキットを発生させ、圧縮機起動タイマー１８が所定の時間を計時した場合に、吹出し口からの空気を外周方向へ導くもので、低外気温での暖房運転起動時においても、ショートサーキットで素早く設定温度に到達でき、また、運転時間によりショートサーキットを回避できるので、圧縮機１１に異常な負荷をかけない。【選択図】図２
2011007378.tif 000002
【特許請求の範囲】
【請求項１】
天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、運転開始からの経過時間を計時する圧縮機起動タイマーとを有し、暖房運転起動時に、前記吸い込み温度と前記リモコンで設定された温度との差温が、所定の温度差以上の場合に、前記圧縮機起動タイマーを起動すると共に前記吹出し口から吹き出す空気を前記吸込み口に導くショートサーキットを発生させ、前記圧縮機起動タイマーが所定の時間を計時した場合に、前記吹出し口から吹き出す空気を外周方向へ導くようにしたことを特徴とした天井埋込形空気調和機。
【請求項２】
天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、室内熱交換器の温度を検知する室内熱交換器温度検出手段とを有し、暖房運転起動時に、前記吸い込み温度と前記リモコンで設定された温度との差温が、所定の温度差以上の場合に、前記吹出し口から吹き出す空気を前記吸込み口に導くショートサーキットを発生させ、前記室内熱交換器温度が所定の温度以上になった場合に、前記吹出し口から吹き出す空気を外周方向へ導くようにしたことを特徴とした天井埋込形空気調和機。
【請求項３】
天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、吹き出し温度を検出する室内吹き出し温度検出手段とを有し、暖房運転起動時に、前記吸い込み温度と前記リモコンで設定された温度との差温が所定の温度差以上の場合に、前記吹出し口から吹き出す空気を前記吸込み口に導くショートサーキットを発生させ、前記吹き出し温度が所定の温度以上となった場合に、前記吹出し口から吹き出す空気を外周方向へ導くようにしたことを特徴とした天井埋込形空気調和機。
【請求項４】
天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、圧縮機の吐出圧力を検出する吐出圧力検出手段とを有し、暖房運転起動時に、前記吸い込み温度と前記リモコンで設定された温度との差温が所定の温度差以上の場合に、前記吹出し口から吹き出す空気を前記吸込み口に導くショートサーキットを発生させ、前記吐出圧力が所定の圧力以上となった場合に、前記吹出し口から吹き出す空気を外周方向へ導くようにしたことを特徴とした天井埋込形空気調和機。
【請求項５】
暖房運転起動時に、吸い込み温度が所定の温度以上の場合は、ショートサーキットさせることなく前記吹出し口から吹き出す空気を外周方向へ導くことを特徴とした請求項１〜４のいずれか１項に記載の天井埋込形空気調和機。
【請求項６】
外気温度を検出する外気温度検出手段を有し、暖房運転起動時に前記外気温度が所定の温度以上の場合は、ショートサーキットさせることなく、吹出し口から吹き出す空気を外周方向へ導くことを特徴とした請求項１〜４のいずれか１項に記載の天井埋込形空気調和機。
【請求項７】
暖房運転時の圧縮機停止時に、前記圧縮機の停止時の内容を記憶する圧縮機停止内容記憶装置を有し、前記圧縮機停止内容記憶装置に記憶された記憶内容により、前記圧縮機の再起動時に、ショートサーキットを発生させることなく、吹出し口から吹き出す空気を外周方向へ導くことを特徴とした請求項１〜６のいずれか１項に記載の天井埋込形空気調和機。
【請求項８】
暖房運転終了後、所定時間を経過する前に再度暖房運転を行った場合に、ショートサーキットさせることなく、吹出し口から吹き出す空気を外周方向へ導くことを特徴とした請求項１〜４のいずれか１項に記載の天井埋込形空気調和機。
【発明の詳細な説明】
【技術分野】
【０００１】
本発明は、天井埋込形空気調和機に関するもので、特に、天井埋込形空気調和機の制御方法に関するものである。
【背景技術】
【０００２】
従来の天井埋込形空気調和機としては、暖房運転起動時等に設定温度にできるだけ速く到達するように、吹出口から吹き出された空調空気の一部をそのまま吸込口へと再循環させる、いわゆるショートサーキットをさせるものがある（例えば、特許文献１参照）。
【特許文献１】特開２００１−１４７０４１号公報
【発明の概要】
【発明が解決しようとする課題】
【０００３】
しかしながら、上記特許文献１に開示された従来の天井埋込形空気調和機においては、室内吸い込み温度とリモコン設定温度との差が小さい場合の暖房運転の起動時に、リモコン設定温度以上に室内温度が上昇し快適性が損なわれる問題があった。
【０００４】
本発明は、上記従来の課題を解決し、低外気温度での暖房運転起動時においては設定温度に速く到達させることができ、且つ、室内吸い込み温度とリモコン設定温度との差が小さい場合の暖房運転起動時においては、リモコン設定温度以上に室内温度が上昇することが無い快適空間を提供する天井埋込形空気調和機を提供することを目的とする。
【０００５】
また、外気温度や室内温度が高い中間期での暖房運転起動時においては吐出圧力が異常に上昇し圧縮機が損傷する危険があった。
【０００６】
本発明の他の目的は、外気温度や室内温度が高い中間期での暖房運転起動時に、吐出圧力が異常に上昇することなく、良好に暖房運転できる天井埋込形空気調和機を提供することを目的とする。
【課題を解決するための手段】
【０００７】
前記従来の課題を解決するために、本発明の天井埋込形空気調和機は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、運転開始からの経過時間を計時する圧縮機起動タイマーとを有し、暖房運転起動時に、前記吸い込み温度と前記リモコンで設定された温度との差温が、所定の温度差以上の場合に、前記圧縮機起動タイマーを起動すると共に前記吹出し口から吹き出す空気を前記吸込み口に導くショートサーキットを発生させ、前記圧縮機起動タイマーが所定の時間を計時した場合に、前記吹出し口から吹き出す空気を外周方向へ導くようにしたもので、冬季の低外気温での暖房運転起動時においても、ショートサーキットにより素早く設定温度に到達させることができると共に、暖房運転時間によりショートサーキットを回避できるので、圧縮機に異常な負荷をかけることなく良好な運転ができる。
【０００８】
また、本発明の天井埋込形空気調和機は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモ
コンと、室内熱交換器の温度を検知する室内熱交換器温度検出手段とを有し、暖房運転起動時に、前記吸い込み温度と前記リモコンで設定された温度との差温が、所定の温度差以上の場合に、前記吹出し口から吹き出す空気を前記吸込み口に導くショートサーキットを発生させ、前記室内熱交換器温度が所定の温度以上になった場合に、前記吹出し口から吹き出す空気を外周方向へ導くようにしたもので、冬季の低外気温での暖房運転起動時においても、ショートサーキットにより素早く設定温度に到達させることができると共に、暖房運転中の凝縮温度を監視してショートサーキットを回避できるので、圧縮機に異常な負荷をかけることなく良好な運転ができる。
【０００９】
また、本発明の天井埋込形空気調和機は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、吹き出し温度を検出する室内吹き出し温度検出手段とを有し、暖房運転起動時に、前記吸い込み温度と前記リモコンで設定された温度との差温が所定の温度差以上の場合に、前記吹出し口から吹き出す空気を前記吸込み口に導くショートサーキットを発生させ、前記吹き出し温度が所定の温度以上となった場合に、前記吹出し口から吹き出す空気を外周方向へ導くようにしたもので、冬季の低外気温での暖房運転起動時においても、ショートサーキットにより素早く設定温度に到達させることができると共に、暖房運転中の吹き出し温度を監視してショートサーキットを回避できるので、圧縮機に異常な負荷をかけることなく良好な運転ができる。
【００１０】
また、本発明の天井埋込形空気調和機は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、圧縮機の吐出圧力を検出する吐出圧力検出手段とを有し、暖房運転起動時に、前記吸い込み温度と前記リモコンで設定された温度との差温が所定の温度差以上の場合に、前記吹出し口から吹き出す空気を前記吸込み口に導くショートサーキットを発生させ、前記吐出圧力が所定の圧力以上となった場合に、前記吹出し口から吹き出す空気を外周方向へ導くようにしたもので、冬季の低外気温での暖房運転起動時においても、ショートサーキットにより素早く設定温度に到達させることができると共に、暖房運転中の凝縮圧力を監視しショートサーキットを回避できるので、圧縮機に異常な負荷をかけることなく良好な運転ができる。
【発明の効果】
【００１１】
本発明の天井埋込形空気調和機は、暖房運転開始時の室内及び室外の負荷を判断することによりショートサーキットするか否かを判断し、ショートサーキットする際には、運転中に冷凍サイクルの監視によりショートサーキットを解除するため、設定温度に速く到達させることができる。
【図面の簡単な説明】
【００１２】
【図１】本発明の実施の形態１における天井埋込形空気調和機の概略図
【図２】同天井埋込形空気調和機の冷凍サイクル図
【図３】同天井埋込形空気調和機の制御方法を示すフローチャート
【図４】本発明の実施の形態２における天井埋込形空気調和機の冷凍サイクル図
【図５】同天井埋込形空気調和機の制御方法を示すフローチャート
【図６】本発明の実施の形態３における天井埋込形空気調和機の冷凍サイクル図
【図７】同天井埋込形空気調和機の制御方法を示すフローチャート
【図８】本発明の実施の形態４における天井埋込形空気調和機の冷凍サイクル図
【図９】同天井埋込形空気調和機の制御方法を示すフローチャート
【図１０】本発明の実施の形態５における天井埋込形空気調和機の制御方法を示すフローチャート
【図１１】本発明の実施の形態６における天井埋込形空気調和機の冷凍サイクル図
【図１２】同天井埋込形空気調和機の制御方法を示すフローチャート
【図１３】本発明の実施の形態７における天井埋込形空気調和機の冷凍サイクル図
【図１４】同天井埋込形空気調和機の制御方法を示すフローチャート
【図１５】本発明の実施の形態８における天井埋込形空気調和機の冷凍サイクル図
【図１６】同天井埋込形空気調和機の制御方法を示すフローチャート
【発明を実施するための形態】
【００１３】
第１の発明は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、運転開始からの経過時間を計時する圧縮機起動タイマーとを有し、暖房運転起動時に、前記吸い込み温度と前記リモコンで設定された温度との差温が、所定の温度差以上の場合に、前記圧縮機起動タイマーを起動すると共に前記吹出し口から吹き出す空気を前記吸込み口に導くショートサーキットを発生させ、前記圧縮機起動タイマーが所定の時間を計時した場合に、前記吹出し口から吹き出す空気を外周方向へ導くようにしたもので、冬季の低外気温での暖房運転起動時においても、ショートサーキットにより素早く設定温度に到達させることができると共に、暖房運転時間によりショートサーキットを回避できるので、圧縮機に異常な負荷をかけることなく良好な運転ができる。
【００１４】
第２の発明は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、室内熱交換器の温度を検知する室内熱交換器温度検出手段とを有し、暖房運転起動時に、前記吸い込み温度と前記リモコンで設定された温度との差温が、所定の温度差以上の場合に、前記吹出し口から吹き出す空気を前記吸込み口に導くショートサーキットを発生させ、前記室内熱交換器温度が所定の温度以上になった場合に、前記吹出し口から吹き出す空気を外周方向へ導くようにしたもので、冬季の低外気温での暖房運転起動時においても、ショートサーキットにより素早く設定温度に到達させることができると共に、暖房運転中の凝縮温度を監視してショートサーキットを回避できるので、圧縮機に異常な負荷をかけることなく良好な運転ができる。
【００１５】
第３の発明は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、吹き出し温度を検出する室内吹き出し温度検出手段とを有し、暖房運転起動時に、前記吸い込み温度と前記リモコンで設定された温度との差温が所定の温度差以上の場合に、前記吹出し口から吹き出す空気を前記吸込み口に導くショートサーキットを発生させ、前記吹き出し温度が所定の温度以上となった場合に、前記吹出し口から吹き出す空気を外周方向へ導くようにしたもので、冬季の低外気温での暖房運転起動時においても、ショートサーキットにより素早く設定温度に到達させることができると共に、暖房運転中の吹き出し温度を監視してショートサーキットを回避できるので、圧縮機に異常な負荷をかけることなく良好な運転ができる。
【００１６】
第４の発明は、天井面に埋め込まれた本体ケーシングの下面に取り付けられ、中央に吸込み口を有し、前記吸込み口の周囲に吹き出し風の向きを変更する風向変更板を備えた吹出し口を有するパネルを備えた天井埋込形空気調和機において、吸い込み温度を検出する室内吸い込み温度検出手段と、空間の目標温度を設定するリモコンと、圧縮機の吐出圧力を検出する吐出圧力検出手段とを有し、暖房運転起動時に、前記吸い込み温度と前記リモコンで設定された温度との差温が所定の温度差以上の場合に、前記吹出し口から吹き出す空気を前記吸込み口に導くショートサーキットを発生させ、前記吐出圧力が所定の圧力以上となった場合に、前記吹出し口から吹き出す空気を外周方向へ導くようにしたもので、冬季の低外気温での暖房運転起動時においても、ショートサーキットにより素早く設定温度に到達させることができると共に、暖房運転中の凝縮圧力を監視しショートサーキットを回避できるので、圧縮機に異常な負荷をかけることなく良好な運転ができる。
【００１７】
第５の発明は、特に、第１〜４のいずれか一つの発明の天井埋込形空気調和機において、暖房運転起動時に、吸い込み温度が所定の温度以上の場合は、ショートサーキットさせることなく前記吹出し口から吹き出す空気を外周方向へ導くもので、冬季の低外気温での暖房運転起動時においては、ショートサーキットにより素早く設定温度に到達させることができると共に、暖房運転時間や凝縮温度、吹き出し温度等を監視しショートサーキットを回避できるので、圧縮機に異常な負荷をかけることなく良好な運転ができる。また、吸い込み負荷が小さい場合の暖房運転起動時においては、ショートサーキットさせることなく前記パネルから吹き出した空気を外周方向へ導くことから、リモコン設定温度以上に室内温度を上昇させることなく快適空間を提供することができる。
【００１８】
第６の発明は、特に、第１〜４のいずれか一つの発明の天井埋込形空気調和機において、外気温度を検出する外気温度検出手段を有し、暖房運転起動時に前記外気温度が所定の温度以上の場合は、ショートサーキットさせることなく、吹出し口から吹き出す空気を外周方向へ導くもので、冬季の低外気温での暖房運転起動時においては、ショートサーキットにより素早く設定温度に到達させることができると共に、暖房運転時間や凝縮温度、吹き出し温度等を監視しショートサーキットを回避できるので、圧縮機に異常な負荷をかけることなく良好な運転ができる。また、外気温度が高い場合の暖房運転起動時においては、ショートサーキットさせることなく前記パネルから吹き出した空気を外周方向へ導くことから、リモコン設定温度以上に室内温度を上昇させることなく快適空間を提供することができる。
【００１９】
第７の発明は、特に、第１〜６のいずれか一つの発明の天井埋込形空気調和機において、暖房運転時の圧縮機停止時に、前記圧縮機の停止時の内容を記憶する圧縮機停止内容記憶装置を有し、前記圧縮機停止内容記憶装置に記憶された記憶内容により、前記圧縮機の再起動時に、ショートサーキットを発生させることなく、吹出し口から吹き出す空気を外周方向へ導くもので、冬季の低外気温での暖房運転起動時においては、ショートサーキットにより素早く設定温度に到達させることができると共に、暖房運転時間や凝縮温度、吹き出し温度等を監視しショートサーキットを回避できるので、圧縮機に異常な負荷をかけることなく良好な運転ができる。また、室内目標温度到達によるサーモオフや冷凍サイクル過負荷保護にて圧縮機が停止した後の再起動時においては、ショートサーキットさせることなく前記パネルから吹き出した空気を外周方向へ導くことから、圧縮機に異常な負荷をかけることなく良好な運転ができる。
【００２０】
第８の発明は、特に、第１〜４のいずれか一つの発明の天井埋込形空気調和機において、暖房運転終了後、所定時間を経過する前に再度暖房運転を行った場合に、ショートサーキットさせることなく、吹出し口から吹き出す空気を外周方向へ導くもので、冬季の低外気温での暖房運転開始時においては、ショートサーキットにより素早く設定温度に到達させることができると共に、暖房運転時間や凝縮温度、吹き出し温度等を監視しショートサ
ーキットを回避できるので、圧縮機に異常な負荷をかけることなく良好な運転ができる。また、暖房運転終了から所定時間を経過せず再度暖房運転する熱時起動時においては、ショートサーキットさせることなく前記吹出し口から吹き出した空気を外周方向へ導くことから、圧縮機に異常な負荷をかけることなく良好な運転ができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における天井埋込形空気調和機の概略図で、図２は、同天井埋込形空気調和機の冷凍サイクル図、図３は、同天井埋込形空気調和機の制御方法を示すフローチャートである。
【００２３】
図１において、本実施の形態における天井埋込形空気調和機の室内機１は、外郭を形成すると共に天井面に埋め込まれた本体ケーシング１ａと、室内熱交換器２と、室内ファン３と、本体ケーシング１ａの下面に取り付けられたパネル４と、パネル４の中央部に設けられた吸込み口５と、同じくパネル４に設けられると共に、吸込み口５の周囲に位置し風向変更板６ａを備えた吹出し口６から構成されており、運転状態に応じて、吹出し口６に設けた風向変更板６ａを回動させることにより、ショートサーキット方向と外周方向のどちらへも吹き出し風を導くことができる構成となっている。
【００２４】
図２において、本実施の形態における天井埋込形空気調和機は、圧縮機１１と、四方弁１４と、室外熱交換器１２と、減圧装置１３とから構成された室外機１５と、室内熱交換器２とを有する室内機１とを順次接続されている。１６は、室内吸込み温度検出手段であり、１７は、室内空間の目標温度を設定するリモコン、１８は、圧縮機１１が動作すると共に作動する圧縮機起動タイマーである。
【００２５】
以上のように構成された本実施の形態における天井埋込形空気調和機について、以下、図３のフローチャートに従い、プログラムの動作を説明する。
【００２６】
まず暖房運転開始した際に、ＳＴＥＰ１で室内吸込み温度検出手段１６が室内吸込み温度Ｔｉｎ１を検出し、ＳＴＥＰ２で、リモコン１７のリモコン設定温度Ｒｉｎ１を検出する。ＳＴＥＰ３では、圧縮機１１を起動し、ＳＴＥＰ４で、圧縮機起動タイマー１８を作動する。ＳＴＥＰ５では、起動時の室内吸込み温度Ｔｉｎ１とリモコン設定温度Ｒｉｎ１の差を演算し、その解が、所定温度差Ｋ１以下でなければＳＴＥＰ６に進み、所定温度差Ｋ１以下であればＳＴＥＰ８に進む。
【００２７】
ＳＴＥＰ６では、吹出し口６をショートサーキットさせて素早く目標温度に近づける。ＳＴＥＰ７では、圧縮機起動タイマー１８が所定の時間Ｔｉｍｅ１を経過したか否かを判定し、所定の時間Ｔｉｍｅ１を経過した場合は、ＳＴＥＰ８へ進み、所定の時間Ｔｉｍｅ１を経過していない場合はＳＴＥＰ６へ戻る。ＳＴＥＰ８では、吹出し口６を外周部へ吹出すように変更し通常制御ヘ移行する。
【００２８】
この動作をすることにより、室内側の負荷が大きければ暖房運転起動時にショートサーキットさせるため立ち上がり性能を向上させることができる。また、暖房運転起動から所定の時間が経過した際に通常運転になることから、圧縮機１１に異常な負荷をかけることなく良好な運転ができる。
【００２９】
（実施の形態２）
図４は、本発明の第２の実施の形態における天井埋込形空気調和機の冷凍サイクル図で
あり、図５は、同天井埋込形空気調和機の制御方法を示すフローチャートである。尚、上記実施の形態１における天井埋込形空気調和機と同一部分には、同一符号を付してその説明を省略する。
【００３０】
本実施の形態における天井埋込形空気調和機は、図４に示すように、室内熱交換器２の温度を検出する室内熱交換器温度検出手段１９を設けたもので、他の構成は、上記第１の実施の形態における天井埋込形空気調和機と同一である。
【００３１】
以上のように構成された本実施の形態における天井埋込形空気調和機について、以下、図  ５のフローチャートに従い、プログラムの動作を説明する。
【００３２】
まず暖房運転開始すると、ＳＴＥＰ１で室内吸込み温度検出手段１６が室内吸込み温度Ｔｉｎ１を検出し、ＳＴＥＰ２で、リモコン１７のリモコン設定温度Ｒｉｎ１を検出する。ＳＴＥＰ３では、圧縮機１１を起動しＳＴＥＰ５へ進む。ＳＴＥＰ５では、起動時の室内吸込み温度Ｔｉｎ１とリモコン設定温度Ｒｉｎ１の差を演算し、その解が所定温度差Ｋ１以下でなければＳＴＥＰ６に進み、所定温度差Ｋ１以下であればＳＴＥＰ８に進む。
【００３３】
ＳＴＥＰ６では、吹出し口６をショートサーキットさせて素早く目標温度に近づけてＳＴＥＰ９へ進み、ＳＴＥＰ９では、室内熱交換器温度検出手段１９が室内熱交換器温度Ｔｃ１を検出し、ＳＴＥＰ１０で、室内熱交換器温度Ｔｃ１が所定の温度Ｔ１へ到達したか否かを判定する。室内熱交換器温度Ｔｃ１が所定の温度Ｔ１に到達していない場合は、ＳＴＥＰ６へ戻り、室内熱交換器温度Ｔｃ１が所定の温度Ｔ１に到達した場合は、ＳＴＥＰ８へ進み、吹出し口６を外周部へ吹出すように変更し通常制御ヘ移行する。
【００３４】
この動作をすることにより、室内側の負荷が大きければ暖房運転起動時にショートサーキットさせるため立ち上がり性能を向上させることができる。また、暖房運転起動から凝縮温度を監視し通常運転に移行することから、圧縮機１１に異常な負荷をかけることなく良好な運転ができる。
【００３５】
（実施の形態３）
図６は、本発明の第３の実施の形態における天井埋込形空気調和機の冷凍サイクル図、図７は、同天井埋込形空気調和機の制御方法を示すフローチャートである。尚、上記実施の形態１における天井埋込形空気調和機と同一部分には、同一符号を付してその説明を省略する。
【００３６】
本実施の形態における天井埋込形空気調和機は、図６に示すように、室内吹出し温度を検出する室内吹出し温度検出手段２０を設けたもので、他の構成は、上記第１の実施の形態における天井埋込形空気調和機と同一である。
【００３７】
以上のように構成された本実施の形態における天井埋込形空気調和機について、以下、図７のフローチャートに従い、プログラムの動作を説明する。
【００３８】
まず暖房運転開始すると、ＳＴＥＰ１で室内吸込み温度検出手段１６が室内吸込み温度Ｔｉｎ１を検出し、ＳＴＥＰ２で、リモコン１７のリモコン設定温度Ｒｉｎ１を検出する。ＳＴＥＰ３では、圧縮機１１を起動しＳＴＥＰ５へ進む。ＳＴＥＰ５では、起動時の室内吸込み温度Ｔｉｎ１とリモコン設定温度Ｒｉｎ１の差を演算し、その解が所定温度差Ｋ１以下でなければＳＴＥＰ６に進み、所定温度差Ｋ１以下であればＳＴＥＰ８に進む。
【００３９】
ＳＴＥＰ６では、吹出し口６をショートサーキットさせて素早く目標温度に近づけてＳＴＥＰ１１へ進み、ＳＴＥＰ１１では、室内吹出し温度検出手段２０が室内吹出し温度Ｔ
ｏ１を検出し、ＳＴＥＰ１２で、室内吹出し温度Ｔｏ１が所定の温度Ｔ２へ到達したか否かを判定する。室内吹出し温度Ｔｏ１が所定の温度Ｔ２に到達していない場合は、ＳＴＥＰ６へ戻り、室内吹出し温度Ｔｏ１が所定の温度Ｔ２に到達した場合は、ＳＴＥＰ８へ進み、吹出し口６を外周部へ吹出すように変更し通常制御ヘ移行する。
【００４０】
このような動作をすることにより、室内側の負荷が大きければ暖房運転起動時にショートサーキットさせるため立ち上がり性能を向上させることができとともに、暖房運転起動から吹出し温度を監視し通常運転に移行することから、コールドドラフト等が発生することなく良好な運転ができる。
【００４１】
（実施の形態４）
図８は、本発明の第４の実施の形態における天井埋込形空気調和機の冷凍サイクル図であり、図９は、同天井埋込形空気調和機の制御方法を示すフローチャートである。
【００４２】
本実施の形態における天井埋込形空気調和機は、図８に示すように、吐出圧力を検出する吐出圧力検出手段２１を設けたもので、他の構成は、上記第１の実施の形態における天井埋込形空気調和機と同一により、同一部分については、同一符号を付してその説明を省略する。
【００４３】
以上のように構成された本実施の形態における天井埋込形空気調和機について、以下、図９のフローチャートに従い、プログラムの動作を説明する。
【００４４】
まず暖房運転を開始すると、ＳＴＥＰ１で、室内吸込み温度検出手段１６が、室内吸込み温度Ｔｉｎ１を検出し、ＳＴＥＰ２で、リモコン１７のリモコン設定温度Ｒｉｎ１を検出する。
【００４５】
ＳＴＥＰ３では、圧縮機１１を起動しＳＴＥＰ５へ進む。ＳＴＥＰ５では、起動時の室内吸込み温度Ｔｉｎ１とリモコン設定温度Ｒｉｎ１の差を演算し、その解が所定温度差Ｋ１以下でなければＳＴＥＰ６に進み、所定温度差Ｋ１以下であればＳＴＥＰ８に進む。
【００４６】
ＳＴＥＰ６では、吹出し口６をショートサーキットさせて素早く目標温度に近づけてＳＴＥＰ１３へ進み、ＳＴＥＰ１３では、吐出圧力温度検出手段２１が吐出圧力Ｐｄ１を検出し、ＳＴＥＰ１４で、吐出圧力Ｐｄ１が所定の圧力Ｐ１へ到達したか否かを判定する。吐出圧力Ｐｄ１が所定の圧力Ｐ１に到達していない場合は、ＳＴＥＰ６へ戻り、吐出圧力Ｐｄ１が、所定の圧力Ｐ１に到達した場合はＳＴＥＰ８へ進み、吹出し口６を外周部へ吹出すように変更し通常制御ヘ移行する。
【００４７】
この動作をすることにより、室内側の負荷が大きければ暖房運転起動時にショートサーキットさせるため立ち上がり性能を向上させることができる。また、暖房運転起動から吐出圧力を監視し通常運転に移行することから、温度検知する以上に、より確実に圧縮機１１に異常な負荷をかけることなく良好な運転ができる。
【００４８】
（実施の形態５）
図１０は、本発明の第５の実施の形態における天井埋込形空気調和機の制御方法を示すフローチャートである。尚、上記実施の形態における天井埋込形空気調和機と同一部分には、同一符号を付してその説明を省略する。
【００４９】
図１０において、本実施の形態における天井埋込形空気調和機は、まず暖房運転を開始すると、ＳＴＥＰ１で室内吸込み温度検出手段１６が室内吸込み温度Ｔｉｎ１を検出し、ＳＴＥＰ２でリモコン１７のリモコン設定温度Ｒｉｎ１を検出する。ＳＴＥＰ３では、圧
縮機１１を起動しＳＴＥＰ１５へ進む。ＳＴＥＰ１５で、室内吸込み温度Ｔｉｎ１が所定の温度Ｔ３以上の場合ＳＴＥＰ８へ進み吹出し口６を外周部へ吹出すように変更し通常制御ヘ移行する。
【００５０】
ＳＴＥＰ１５で、室内吸込み温度Ｔｉｎ１が所定の温度Ｔ３未満の場合は、ＳＴＥＰ４へ進み、上記実施の形態１と同じ動作を行う。
【００５１】
このような動作をすることにより、暖房運転起動時に吸込み温度が高い場合においては、ショートサーキットをさせないため、圧縮機１１に異常な負荷をかけることなく良好な運転ができる。
【００５２】
（実施の形態６）
図１１は、本発明の第６の実施の形態における天井埋込形空気調和機の冷凍サイクル図、図１２は、同天井埋込形空気調和機の制御方法を示すフローチャートである。
【００５３】
本実施の形態における天井埋込形空気調和機は、図１１に示すように、外気温度を検出する外気温度検出手段２２を設けたもので、他の構成は、上記第１〜第４の実施の形態における天井埋込形空気調和機と同一により、同一部分については、同一符号を付してその説明を省略する。
【００５４】
以上のように構成された本実施の形態における天井埋込形空気調和機について、以下、図１２のフローチャートに従い、プログラムの動作を説明する。
【００５５】
まず暖房運転を開始すると、ＳＴＥＰ１で室内吸込み温度検出手段１６が室内吸込み温度Ｔｉｎ１を検出し、ＳＴＥＰ２でリモコン１７のリモコン設定温度Ｒｉｎ１を検出しＳＴＥＰ１６へ進み、外気温度検出手段２２が外気温度Ｔｏｕｔ１を検出し、ＳＴＥＰ３へ進む。ＳＴＥＰ３では、圧縮機１１を起動しＳＴＥＰ１７へ進む。ＳＴＥＰ１７で、外気温度Ｔｏｕｔ１が所定の温度Ｔ４以上の場合、ＳＴＥＰ８へ進み吹出し口を外周部へ吹出すように変更し通常制御ヘ移行する。
【００５６】
ＳＴＥＰ１７で、外気温度Ｔｏｕｔ１が所定の温度Ｔ４未満の場合は、ＳＴＥＰ４へ進み、実施の形態１と同じ動作を行う。
【００５７】
この動作をすることにより、暖房運転起動時に外気温度が高い場合においては、ショートサーキットさせないため、圧縮機１１に異常な負荷をかけることなく良好な運転ができる。
【００５８】
（実施の形態７）
図１３は、本発明の第７の実施の形態における天井埋込形空気調和機の冷凍サイクル図であり、図１４は、同天井埋込形空気調和機の制御方法を示すフローチャートである。
【００５９】
本実施の形態における天井埋込形空気調和機は、図１３に示すように、圧縮機１１の停止時の内容を記憶する圧縮機停止内容記憶装置２３を設けたもので、他の構成は、上記第１〜第６の実施の形態における天井埋込形空気調和機と同一により、同一部分については、同一符号を付してその説明を省略する。
【００６０】
以上のように構成された本実施の形態における天井埋込形空気調和機について、以下、図１４のフローチャートに従い、プログラムの動作を説明する。
【００６１】
暖房運転を開始すると、ＳＴＥＰ１からＳＴＥＰ８までは、実施の形態１〜６で述べた
動作と同じ動作を行う。
【００６２】
通常運転のＳＴＥＰ８の後、ＳＴＥＰ１８で圧縮機停止指令判定を行い、圧縮機停止指令がなければＳＴＥＰ８へ戻り、圧縮機停止指令があればＳＴＥＰ１９へ進む。ＳＴＥＰ１９では、圧縮機１１を停止し、ＳＴＥＰ２０で、圧縮機停止内容記憶装置２３が圧縮機停止内容を記憶する。ＳＴＥＰ２１では、圧縮機停止内容が高負荷停止（高圧カットや高外気温度保護など）またはサーモオフの場合は、ＳＴＥＰ２２へ進み圧縮機１１を再起動して、ＳＴＥＰ８へ戻る。圧縮機停止内容が高負荷停止（高圧カットや高外気温度保護など）またはサーモオフ以外の場合においては、ＳＴＥＰ１へ戻るようにしたものである。
【００６３】
この動作をすることにより、暖房運転中に保護やサーモオフ等で停止した際の再起動時においても、停止した内容により、次回起動時に、ショートサーキットを起動するか否かを判断するので、起動性能が向上すると共に、圧縮機１１に異常な負荷をかけることなく良好な運転ができる。
【００６４】
（実施の形態８）
図１５は、本発明の第８の実施の形態における天井埋込形空気調和機の冷凍サイクル図、図１６は、同天井埋込形空気調和機の制御方法を示すフローチャートである。
【００６５】
図１５に示すように、本実施の形態における天井埋込形空気調和機は、圧縮機１１の停止期間を計時する圧縮機停止タイマー２４を設けたもので、他の構成は、上記第１〜第６の実施の形態における天井埋込形空気調和機と同一により、同一部分については、同一符号を付してその説明を省略する。
【００６６】
以上のように構成された本実施の形態における天井埋込形空気調和機について、以下、図１６のフローチャートに従い、プログラムの動作を説明する。
【００６７】
暖房運転開始すると、ＳＴＥＰ１からＳＴＥＰ８までは、実施の形態１〜６で述べ動作と同じ動作を行う。
【００６８】
通常運転のＳＴＥＰ８の後、ＳＴＥＰ２３で暖房運転終了し、ＳＴＥＰ２４で圧縮機１１が停止した際に、ＳＴＥＰ２５で、圧縮機停止タイマー２４が作動する。その後、再度暖房運転を開始した際に、ＳＴＥＰ２７で、圧縮機停止タイマー２４が計時した時間が所定の時間Ｔｉｍｅ２以下の場合においては、ＳＴＥＰ２８で圧縮機１１を再起動し、ＳＴＥＰ８へ戻り、起動後のショートサーキットを行わないようにする。ＳＴＥＰ２７で圧縮機停止タイマー２４が計時した時間が所定の時間Ｔｉｍｅ２を超えている場合においては、ＳＴＥＰ１へ戻り第１〜第６の実施の形態と同様の動作を行う。
【００６９】
このような動作をすることにより、暖房再起動時に熱時起動か冷時起動の判定ができることから、冷時での起動性能が向上すると共に、熱時起動で圧縮機１１に異常な負荷をかけることなく良好な運転ができる。
【産業上の利用可能性】
【００７０】
本発明の天井埋込形空気調和機は、起動性能を向上できると共に圧縮機に異常な負荷をかけることなく良好な運転ができるので、家庭用の天井埋込形空気調和機や各種多室型天井埋込形空気調和機に適用できるものである。
【符号の説明】
【００７１】
１  室内機
１ａ  本体ケーシング
２  室内熱交換器
３  室内ファン
４  パネル
５  吸込み口
６  吹出し口
６ａ  風向変更板
１１  圧縮機
１２  室外熱交換器
１３  減圧装置
１４  四方弁
１５  室外機
１６  室内吸込み温度検出手段
１７  リモコン
１８  圧縮機起動タイマー
１９  室内熱交換器温度検出手段
２０  室内吹出し温度検出手段
２１  吐出圧力検出手段
２２  外気温度検出手段
２３  圧縮機停止内容記憶装置
２４  圧縮機停止タイマー
Ｔｉｎ１  室内吸い込み温度
Ｒｉｎ１  リモコン設定温度
Ｔｃ１  室内熱交換器温度
Ｔｏ１  室内吹出し温度
Ｔｏｕｔ１  外気温度
Ｐｄ１  吐出圧力
Ｏｎ＿Ｔｉｍｅ  起動時間
Ｏｆｆ＿Ｔｉｍｅ  停止時間
Ｋ１  所定の温度差
Ｔｉｍｅ１、Ｔｉｍｅ２  所定の時間
Ｔ１〜Ｔ４  所定の温度
Ｐ１  所定の圧力
【図１】
2011007378.tif 000003
【図２】
2011007378.tif 000004
【図３】
2011007378.tif 000005
【図４】
2011007378.tif 000006
【図５】
2011007378.tif 000007
【図６】
2011007378.tif 000008
【図７】
2011007378.tif 000009
【図８】
2011007378.tif 000010
【図９】
2011007378.tif 000011
【図１０】
2011007378.tif 000012
【図１１】
2011007378.tif 000013
【図１２】
2011007378.tif 000014
【図１３】
2011007378.tif 000015
【図１４】
2011007378.tif 000016
【図１５】
2011007378.tif 000017
【図１６】
2011007378.tif 000018